(57)【要約】      （修正有）【課題】実装基板への搭載方向によって高周波特性が変化するコモンモードフィルタを提供する。【解決手段】巻芯部に巻回されたワイヤＷ１，Ｗ２は、巻回領域Ａ１においては巻回ブロックＢ１を構成し、巻回領域Ａ２においては巻回ブロックＢ２，Ｂ３を構成し、巻回領域Ａ３においては互いに交差する。巻回ブロックＢ２を構成するワイヤＷ２と巻回ブロックＢ３を構成するワイヤＷ２は、互いに離間している。このように、巻回領域Ａ１における巻回レイアウトと巻回領域Ａ２における巻回レイアウトが相違していることから、実装基板への搭載方向によって高周波特性が変化する。これにより、２種類の特性を持ったコモンモードフィルタを提供することが可能となる。しかも、ワイヤＷ１，Ｗ２が巻回領域Ａ３において交差していることから、差動信号の対称性が高められる。【選択図】図５
2018120887.tif 000002
【特許請求の範囲】
【請求項１】
巻芯部と、
前記巻芯部に同方向に巻回された第１及び第２のワイヤと、を備え、
前記巻芯部は、軸方向における一端側に位置する第１の巻回領域と、前記軸方向における他端側に位置する第２の巻回領域と、前記第１及び第２の巻芯領域の間に位置する第３の巻回領域とを含み、
前記第１のワイヤと前記第２のワイヤは、前記第３の巻回領域において互いに交差しており、
前記第１のワイヤは前記第１及び第２の巻回領域において整列して巻回され、前記第２のワイヤは前記第１及び第２の巻回領域において前記第１のワイヤ上に整列して巻回され、これにより、整列して巻回された前記第１のワイヤ上に前記第２のワイヤが整列して巻回されてなる複数の巻回ブロックが構成され、
前記複数の巻回ブロックは、前記第１の巻回領域に位置する第１の巻回ブロックと、前記第２の巻回領域に位置する第２及び第３の巻回ブロックを含み、
前記第２の巻回ブロックを構成する第２のワイヤと前記第３の巻回ブロックを構成する第２のワイヤは、互いに離間していることを特徴とするコモンモードフィルタ。
【請求項２】
前記第１の巻回ブロックを構成する前記第２のワイヤのターン数は、前記第２の巻回ブロックを構成する前記第２のワイヤのターン数及び前記第３の巻回ブロックを構成する前記第２のワイヤのターン数よりも多いことを特徴とする請求項１に記載のコモンモードフィルタ。
【請求項３】
前記第１の巻回ブロックは、前記第１及び第２のワイヤの同一ターンが隣接するよう巻回されていることを特徴とする請求項１又は２に記載のコモンモードフィルタ。
【請求項４】
前記第２及び第３の巻回ブロックは、前記第１及び第２のワイヤの同一ターンが隣接するよう巻回されていることを特徴とする請求項３に記載のコモンモードフィルタ。
【請求項５】
前記第２の巻回ブロックは、前記第１及び第２のワイヤの同一ターンが隣接するよう巻回されており、
前記第３の巻回ブロックは、前記第１及び第２のワイヤの同一ターン間に他のターンが介在するよう巻回されていることを特徴とする請求項３に記載のコモンモードフィルタ。
【請求項６】
前記第３の巻回ブロックは、前記第１の巻回ブロックと前記第２の巻回ブロックの間に位置することを特徴とする請求項５に記載のコモンモードフィルタ。
【請求項７】
前記第１のワイヤと前記第２のワイヤは、前記第３の巻回領域において少なくとも一部が互いに離間していることを特徴とする請求項１乃至６のいずれか一項に記載のコモンモードフィルタ。
【請求項８】
前記第３の巻回領域は、前記軸方向に延在する第１及び第２のエッジと、前記第１のエッジと前記第２のエッジに挟まれた表面領域とを有し、
前記第１のワイヤは、前記表面領域上に位置する第１の区間を含み、
前記第２のワイヤは、前記表面領域上に位置する第２の区間を含み、
前記第１のワイヤの前記第１の区間と前記第２のワイヤの前記第２の区間は、前記表面領域上で互いに交差しており、且つ、前記第１のエッジ上及び前記第２のエッジ上の少なくとも一方において互いに離間していることを特徴とする請求項７に記載のコモンモードフィルタ。
【請求項９】
前記第１のワイヤの前記第１の区間と前記第２のワイヤの前記第２の区間は、前記第１エッジ上において互いに離間し、前記第２のエッジ上において互いに接触していることを特徴とする請求項８に記載のコモンモードフィルタ。
【発明の詳細な説明】
【技術分野】
【０００１】
本発明はコモンモードフィルタに関し、特に、一対のワイヤが途中で交差するタイプのコモンモードフィルタに関する。
【背景技術】
【０００２】
コモンモードフィルタは、差動信号線路に重畳するコモンモードノイズを除去するための素子として、携帯電子機器や車載用ＬＡＮなど、多くの電子機器に幅広く使用されている。近年においては、トロイダル型のコアを用いたコモンモードフィルタに代わって、表面実装が可能なドラム型のコアを用いたコモンモードフィルタが主流である（特許文献１参照）。
【０００３】
特許文献１に記載されたコモンモードフィルタは、一対のワイヤを途中で交差させることによって、高周波領域における差動信号の対称性が高められている。
【先行技術文献】
【特許文献】
【０００４】
【特許文献１】特開２０１４−１９９９０４号公報
【発明の概要】
【発明が解決しようとする課題】
【０００５】
特許文献１に記載されたコモンモードフィルタは、実装基板への搭載方向を１８０°回転させても高周波特性があまり変化しないという優れた特徴を有している。しかしながら、この特徴は、実装基板への搭載方向にかかわらず単一の特性しか得られないことを意味する。
【０００６】
したがって、本発明は、実装基板への搭載方向によって高周波特性が変化するコモンモードフィルタを提供することを目的とする。
【課題を解決するための手段】
【０００７】
本発明によるコモンモードフィルタは、巻芯部と、前記巻芯部に同方向に巻回された第１及び第２のワイヤと、を備え、前記巻芯部は、軸方向における一端側に位置する第１の巻回領域と、前記軸方向における他端側に位置する第２の巻回領域と、前記第１及び第２の巻芯領域の間に位置する第３の巻回領域とを含み、前記第１のワイヤと前記第２のワイヤは、前記第３の巻回領域において互いに交差しており、前記第１のワイヤは前記第１及び第２の巻回領域において整列して巻回され、前記第２のワイヤは前記第１及び第２の巻回領域において前記第１のワイヤ上に整列して巻回され、これにより、整列して巻回された前記第１のワイヤ上に前記第２のワイヤが整列して巻回されてなる複数の巻回ブロックが構成され、前記複数の巻回ブロックは、前記第１の巻回領域に位置する第１の巻回ブロックと、前記第２の巻回領域に位置する第２及び第３の巻回ブロックを含み、前記第２の巻回ブロックを構成する第２のワイヤと前記第３の巻回ブロックを構成する第２のワイヤは、互いに離間していることを特徴とする。
【０００８】
本発明によれば、第１の巻回領域における巻回レイアウトと第２の巻回領域における巻回レイアウトが相違していることから、実装基板への搭載方向によって高周波特性が変化する。これにより、２種類の特性を持ったコモンモードフィルタを提供することが可能となる。しかも、第１のワイヤと第２のワイヤが第３の巻回領域において交差していることから、差動信号の対称性が高められる。
【０００９】
本発明において、前記第１の巻回ブロックを構成する前記第２のワイヤのターン数は、前記第２の巻回ブロックを構成する前記第２のワイヤのターン数及び前記第３の巻回ブロックを構成する前記第２のワイヤのターン数よりも多いことが好ましい。これによれば、第１の巻回領域におけるターン数と第２の巻回領域におけるターン数の差が小さくなることから、差動信号の対称性をより高めることができる。
【００１０】
本発明において、前記第１の巻回ブロックは、前記第１及び第２のワイヤの同一ターンが隣接するよう巻回されていることが好ましい。これによれば、第１の巻回ブロックにおいて第１のワイヤと第２のワイヤの対称性が高められることから、優れた高周波特性を得ることが可能となる。
【００１１】
この場合、前記第２及び第３の巻回ブロックは、前記第１及び第２のワイヤの同一ターンが隣接するよう巻回されていても構わない。或いは、前記第２の巻回ブロックは、前記第１及び第２のワイヤの同一ターンが隣接するよう巻回されており、前記第３の巻回ブロックは、前記第１及び第２のワイヤの同一ターン間に他のターンが介在するよう巻回されていても構わない。前者によれば、第２及び第３の巻回ブロックにおいても第１のワイヤと第２のワイヤの対称性が高められることから、優れた高周波特性を得ることが可能となる。また、後者によれば、実装基板への搭載方向による高周波特性の変化を拡大することができる。ここで、前記第３の巻回ブロックは、前記第１の巻回ブロックと前記第２の巻回ブロックの間に位置するものであっても構わない。
【００１２】
本発明において、前記第１のワイヤと前記第２のワイヤは、前記第３の巻回領域において少なくとも一部が互いに離間していることが好ましい。これによれば、第３の巻回領域における第１のワイヤと第２のワイヤの交差角を拡大することができる。これにより、交差部分における２本のワイヤの接触距離が短縮されることから、上方側に位置する第２のワイヤの巻回位置をより安定化させることが可能となる。
【００１３】
本発明において、前記第３の巻回領域は、前記軸方向に延在する第１及び第２のエッジと、前記第１のエッジと前記第２のエッジに挟まれた表面領域とを有し、前記第１のワイヤは、前記表面領域上に位置する第１の区間を含み、前記第２のワイヤは、前記表面領域上に位置する第２の区間を含み、前記第１のワイヤの前記第１の区間と前記第２のワイヤの前記第２の区間は、前記表面領域上で互いに交差しており、且つ、前記第１のエッジ上及び前記第２のエッジ上の少なくとも一方において互いに離間していることが好ましい。これによれば、第１及び第２のワイヤの離間した部分が第１又は第２のエッジによって保持されることから、ワイヤの巻回位置をより安定化させることが可能となる。
【００１４】
この場合、前記第１のワイヤの前記第１の区間と前記第２のワイヤの前記第２の区間は、前記第１のエッジ上において互いに離間し、前記第２のエッジ上において互いに接触していることが好ましい。かかる構成は、前記第２のワイヤを前記第１のエッジ側から前記第２のエッジ側に巻回する場合において特に効果的である。
【発明の効果】
【００１５】
このように、本発明によるコモンモードフィルタは、実装基板への搭載方向によって異なる高周波特性を得ることが可能となる。
【図面の簡単な説明】
【００１６】
【図１】図１は、本発明の第１の実施形態によるコモンモードフィルタ１０Ａの外観を示す略斜視図である。
【図２】図２は、第１の実施形態における第１のワイヤＷ１の巻回レイアウトを説明するための図である。
【図３】図３は、第１の実施形態における第２のワイヤＷ２の巻回レイアウトを説明するための図である。
【図４】図４は、第１の実施形態における第１及び第２のワイヤＷ１，Ｗ２の巻回レイアウトをより詳細に説明するための模式図である。
【図５】図５（ａ）は図４に示すＡ−Ａ線（第２のエッジＥ２）に沿った略断面図、図５（ｂ）は図４に示すＢ−Ｂ線に沿った略断面図、図５（ｃ）は図４に示すＣ−Ｃ線（第１のエッジＥ１）に沿った略断面図、図５（ｄ）は図４に示すＤ−Ｄ線に沿った略断面図である。
【図６】図６は、本発明の第２の実施形態によるコモンモードフィルタ１０Ｂの外観を示す略斜視図である。
【図７】図７は、第２の実施形態における第１及び第２のワイヤＷ１，Ｗ２の巻回レイアウトをより詳細に説明するための模式図である。
【図８】図８（ａ）は図７に示すＡ−Ａ線（第２のエッジＥ２）に沿った略断面図、図８（ｂ）は図７に示すＢ−Ｂ線に沿った略断面図、図８（ｃ）は図７に示すＣ−Ｃ線（第１のエッジＥ１）に沿った略断面図である。
【図９】図９（ａ）〜（ｃ）は第１の変形例を説明するための図である。
【図１０】図１０（ａ）〜（ｃ）は第２の変形例を説明するための図である。
【発明を実施するための形態】
【００１７】
以下、添付図面を参照しながら、本発明の好ましい実施形態について詳細に説明する。
【００１８】
＜第１の実施形態＞
図１は、本発明の第１の実施形態によるコモンモードフィルタ１０Ａの外観を示す略斜視図である。
【００１９】
図１に示すように、本実施形態によるコモンモードフィルタ１０Ａは、ドラム型コア２０と、板状コア３０と、第１〜第４の端子電極４１〜４４と、第１及び第２のワイヤＷ１，Ｗ２とを備えている。ドラム型コア２０及び板状コア３０は、Ｎｉ−Ｚｎ系フェライトなど比較的透磁率の高い磁性材料によって構成される。また、第１〜第４の端子電極４１〜４４は、銅などの良導体からなる金具である。
【００２０】
ドラム型コア２０は、第１の鍔部２１と、第２の鍔部２２と、これらの間に設けられた巻芯部２３と有している。巻芯部２３はｘ方向を軸方向とし、その両端にそれぞれ第１及び第２の鍔部２１，２２が設けられ、これらが一体化された構造を有している。板状コア３０は、鍔部２１，２２の上面２１ｔ，２２ｔに接着されている。鍔部２１，２２の上面２１ｔ，２２ｔはｘｙ平面を構成し、その反対側の面は実装面２１ｂ，２２ｂとして用いられる。そして、第１及び第２の端子電極４１，４２は、第１の鍔部２１の実装面２１ｂ及び外側面２１ｓに設けられ、第３及び第４の端子電極４３，４４は、第２の鍔部２２の実装面２２ｂ及び外側面２２ｓに設けられている。外側面２１ｓ，２２ｓは、ｙｚ面を構成する。第１〜第４の端子電極４１〜４４の固定は、接着剤などによって行われる。
【００２１】
第１及び第２のワイヤＷ１，Ｗ２は、巻芯部２３に同方向に巻回されている。そして、第１のワイヤＷ１の一端及び他端はそれぞれ第１及び第３の端子電極４１，４３に接続され、第２のワイヤＷ２の一端及び他端はそれぞれ第２及び第４の端子電極４２，４４に接続される。第１及び第２のワイヤＷ１，Ｗ２のターン数は、互いに同じである。
【００２２】
図２は、第１のワイヤＷ１の巻回レイアウトを説明するための図である。
【００２３】
図２に示すように、ドラム型コア２０の巻芯部２３は、第１の鍔部２１側に位置する第１の巻回領域Ａ１と、第２の鍔部２２側に位置する第２の巻回領域Ａ２と、第１及び第２の巻回領域Ａ１，Ａ２の間に位置する第３の巻回領域Ａ３を含む。そして、第１のワイヤＷ１は、第１及び第２の巻回領域Ａ１，Ａ２において整列して巻回されている。したがって、第１及び第２の巻回領域Ａ１，Ａ２における第１のワイヤＷ１の巻回ピッチは、第１のワイヤＷ１の径とほぼ等しく、理想的には隣接するターン同士が接触している。特に限定されるものではないが、第１の巻回領域Ａ１における第１のワイヤＷ１のターン数と、第２の巻回領域Ａ２における第１のワイヤＷ１のターン数は、一致していることが好ましい。
【００２４】
一方、第３の巻回領域Ａ３においては、第１のワイヤＷ１の軸方向（ｘ方向）における遷移量が大きく、したがって、第１のワイヤＷ１の延在方向とｙ方向が成す角度は、第１及び第２の巻回領域Ａ１，Ａ２における角度よりも拡大されている。本実施形態においては、第３の巻回領域の表面領域Ｒにおいて第１のワイヤＷ１が大きく遷移している。ここで、表面領域Ｒとは、巻芯部２３の第１のエッジＥ１と第２のエッジＥ２に挟まれた表面のうち、第３の巻回領域Ａ３に属する表面を指し、本実施形態においてはｘｙ平面を構成する。第１及び第２のエッジＥ１，Ｅ２はいずれもｘ方向に延在する角部である。図２に示すように、第１のワイヤＷ１のうち上述した表面領域Ｒ上に位置する部分は、第１の区間Ｓ１を構成する。特に限定されるものではないが、表面領域Ｒは実装面２１ｂ，２２ｂと同方向を向く面であることが好ましい。
【００２５】
図３は、第２のワイヤＷ２の巻回レイアウトを説明するための図である。
【００２６】
図３に示すように、第２のワイヤＷ２は、第１及び第２の巻回領域Ａ１，Ａ２において第１のワイヤＷ１上に巻回されている。好ましくは、第１のワイヤＷ１の隣接ターンによって形成される谷線に沿って、第２のワイヤＷ２が巻回されている。したがって、第１及び第２の巻回領域Ａ１，Ａ２における第２のワイヤＷ２の巻回ピッチは、第２のワイヤＷ２の径とほぼ等しく、理想的には隣接するターン同士が接触している。特に限定されるものではないが、第１の巻回領域Ａ１における第２のワイヤＷ２のターン数と、第２の巻回領域Ａ２における第２のワイヤＷ２のターン数は、一致していることが好ましい。
【００２７】
一方、第３の巻回領域Ａ３においては、第２のワイヤＷ２が第１のワイヤＷ１を跨ぐようにして両者が交差している。より具体的には、第２のワイヤＷ２のうち上述した表面領域Ｒ上に位置する部分を第２の区間Ｓ２とすると、表面領域Ｒ上において第１の区間Ｓ１と第２の区間Ｓ２が交差する。但し、第２の区間Ｓ２の延在方向とｙ方向が成す角度は、第１の区間Ｓ１の延在方向とｙ方向が成す角度よりも小さい。
【００２８】
図４は、第１及び第２のワイヤＷ１，Ｗ２の巻回レイアウトをより詳細に説明するための模式図である。また、図５（ａ）は図４に示すＡ−Ａ線（第２のエッジＥ２）に沿った略断面図、図５（ｂ）は図４に示すＢ−Ｂ線に沿った略断面図、図５（ｃ）は図４に示すＣ−Ｃ線（第１のエッジＥ１）に沿った略断面図、図５（ｄ）は図４に示すＤ−Ｄ線に沿った略断面図である。
【００２９】
図５に示すように、本実施形態においては、第１の巻回領域Ａ１に巻回された第１及び第２のワイヤＷ１，Ｗ２は第１の巻回ブロックＢ１を形成する一方、第２の巻回領域Ａ２に巻回された第１及び第２のワイヤＷ１，Ｗ２は第２及び第３の巻回ブロックＢ２，Ｂ３を形成する。本実施形態では、第２の巻回ブロックＢ２が第１の巻回ブロックＢ１と第３の巻回ブロックＢ３の間に配置されている。
【００３０】
これらブロックＢ１〜Ｂ３は、いずれも整列して巻回された第１のワイヤＷ１上に第２のワイヤＷ２が整列して巻回された構造を有している。尚、図５には、第１及び第２のワイヤＷ１，Ｗ２のターン番号も表記されている。図５においては、第１及び第２のワイヤＷ１，Ｗ２が交差する部分のターン番号を０と定義している。但し、第１及び第２のワイヤＷ１，Ｗ２のターン数はあくまで一例であり、より多くのターン数を有していても構わない。
【００３１】
第１の巻回ブロックＢ１は、交差部分から数えたターン数の等しいワイヤ同士が隣接するよう巻回されたブロックである。第１の巻回ブロックＢ１においては、同一ターンを構成する第１及び第２のワイヤＷ１，Ｗ２のうち第２のワイヤＷ２が交差側（第３の巻回領域Ａ３側）に位置している。図５に示す例では、第１の巻回ブロックＢ１を構成する第１及び第２のワイヤＷ１，Ｗ２のターン数は８ターンである。
【００３２】
第２の巻回ブロックＢ２も、交差部分から数えたターン数の等しいワイヤ同士が隣接するよう巻回されたブロックである。第２の巻回ブロックＢ２においては、同一ターンを構成する第１及び第２のワイヤＷ１，Ｗ２のうち第２のワイヤＷ２が交差側（第３の巻回領域Ａ３側）に位置している。図５に示す例では、第２の巻回ブロックＢ２を構成する第１及び第２のワイヤＷ１，Ｗ２のターン数は４ターンである。
【００３３】
第３の巻回ブロックＢ３も、交差部分から数えたターン数の等しいワイヤ同士が隣接するよう巻回されたブロックである。第３の巻回ブロックＢ３においては、同一ターンを構成する第１及び第２のワイヤＷ１，Ｗ２のうち第１のワイヤＷ１が交差側（第３の巻回領域Ａ３側）に位置している。図５に示す例では、第３の巻回ブロックＢ３を構成する第１及び第２のワイヤＷ１，Ｗ２のターン数は４ターンである。
【００３４】
このような巻回レイアウトは、巻回作業時において第２の巻回ブロックＢ２から第３の巻回ブロックＢ３に遷移する際、第２のワイヤＷ２を１ピッチ分飛ばして巻回することによって実現できる。これにより、第２の巻回ブロックＢ２を構成する第２のワイヤＷ２（ターン４）と、第３の巻回ブロックＢ３を構成する第２のワイヤＷ２（ターン５）との間に１ピッチ分のスペースが形成され、これを境として第１のワイヤＷ１と第２のワイヤＷ２の位置を入れ替えることができる。このように、第２の巻回ブロックＢ２と第３の巻回ブロックＢ３は、いずれも同一ターン同士が隣接する巻回レイアウトであるものの、上述した１ピッチ分のスペースを設けることによってワイヤの位置が入れ替わることから、第２の巻回ブロックＢ２と第３の巻回ブロックＢ３は異なる特性を持つことになる。
【００３５】
第１のワイヤＷ１と第２のワイヤＷ２の位置の入れ替えは、第３の巻回領域Ａ３においても発生する。これは、第３の巻回領域Ａ３において第１のワイヤＷ１と第２のワイヤＷ２が交差するからである。したがって、本実施形態によるコモンモードフィルタ１０Ａにおいては、ワイヤの位置の入れ替えが２箇所で発生することになる。
【００３６】
ここで、交差部分から数えたターン数の等しいワイヤ同士を隣接させると、交差部分からみた第１のワイヤＷ１と第２のワイヤＷ２の対称性が高められる。そして、本実施形態においては、第１〜第３の巻回ブロックＢ１〜Ｂ３のいずれにおいても同一ターン同士が隣接していることから、優れた高周波特性を得ることが可能となる。
【００３７】
しかも、第１の巻回領域Ａ１におけるターン数（８ターン）と第２の巻回領域Ａ２におけるターン数（４ターン＋４ターン）が互いに等しいものの、両者の巻回レイアウトが互いに異なっていることから、本実施形態によるコモンモードフィルタ１０Ａを実装基板に搭載した場合、搭載方向によって異なる高周波特性を得ることができる。つまり、差動信号の入力側を第１の巻回領域Ａ１側とするか第２の巻回領域Ａ２側とするかによって、異なる高周波特性が得られる。これにより、１つのコモンモードフィルタに２種類の特性を持たせることが可能となる。
【００３８】
図４に戻って説明すると、第２の区間Ｓ２の延在方向とｙ方向が成す角度は、第１の区間Ｓ１の延在方向とｙ方向が成す角度よりも十分に小さく、これにより、交差部分の近傍において第１のワイヤＷ１と第２のワイヤＷ２が互いに離間している。本実施形態においては、符号５１で示すように、第１のエッジＥ１上において第１のワイヤＷ１と第２のワイヤＷ２が離間するとともに、符号５２で示すように、第２のエッジＥ２上において第１のワイヤＷ１と第２のワイヤＷ２が離間している。
【００３９】
その結果、交差部分における第１のワイヤＷ１と第２のワイヤＷ２の接触距離が短縮されることから、上方側に位置する第２のワイヤＷ２の巻回位置が安定する。これは、交差部分の中心点においては、第１のワイヤＷ１の直上に第２のワイヤＷ２が位置することから（図５（ｂ）参照）、第２のワイヤＷ２がｘ方向にずれようとする力は働かないが、交差の中心点からｙ方向にやや離れた部分では、第１のワイヤＷ１の傾斜面上に第２のワイヤＷ２が位置することから（図５（ｄ）参照）、第２のワイヤＷ２がｘ方向にずれようとする力Ｐが働く。このような力Ｐは、交差部分における第１の区間Ｓ１と第２の区間Ｓ２の接触距離が長いほど（つまり、第１の区間Ｓ１と第２の区間Ｓ２の成す角度が小さいほど）強くなる。しかしながら、本実施形態においては、第１の区間Ｓ１と第２の区間Ｓ２を第１及び第２のエッジＥ１，Ｅ２において互いに離間させていることから両者の接触距離が短く、力Ｐが弱められる。その結果、交差部分の近傍における第２のワイヤＷ２のずれが抑制される。
【００４０】
また、第２のワイヤＷ２は第１のワイヤＷ１に比べて巻回作業時における位置制御が困難であり、特に、単位ワイヤ長当たりのｘ方向への遷移量が大きくなるほど、巻回作業時に生じるずれが大きくなりやすい。しかしながら、本実施形態においては、第３の巻回領域Ａ３において第２のワイヤＷ２の単位ワイヤ長当たりのｘ方向への遷移量が低減されていることから、この点からも巻回位置のずれを低減することができる。これにより、本実施形態によれば、特性のばらつきが少ないコモンモードフィルタを提供することが可能となる。
【００４１】
＜第２の実施形態＞
図６は、本発明の第２の実施形態によるコモンモードフィルタ１０Ｂの外観を示す略斜視図である。
【００４２】
図６に示すように、本実施形態によるコモンモードフィルタ１０Ｂは、第２のワイヤＷ２の巻回レイアウトが相違する点において、第１の実施形態によるコモンモードフィルタ１０Ａと相違している。その他の構成は第１の実施形態によるコモンモードフィルタ１０Ａと同一であることから、同一の要素には同一の符号を付し、重複する説明は省略する。
【００４３】
図７は、第１及び第２のワイヤＷ１，Ｗ２の巻回レイアウトをより詳細に説明するための模式図である。また、図８（ａ）は図７に示すＡ−Ａ線（第２のエッジＥ２）に沿った略断面図、図８（ｂ）は図７に示すＢ−Ｂ線に沿った略断面図、図８（ｃ）は図７に示すＣ−Ｃ線（第１のエッジＥ１）に沿った略断面図である。図８には、第１及び第２のワイヤＷ１，Ｗ２のターン番号も表記されている。以降の各図においても同様である。
【００４４】
本実施形態においては、符号５１で示すように、第１のエッジＥ１上においては第１のワイヤＷ１と第２のワイヤＷ２が離間するとともに、符号５０で示すように、第２のエッジＥ２上においては第１のワイヤＷ１と第２のワイヤＷ２が接触している。これに伴い、第１のエッジＥ１上における第１のワイヤＷ１と第２のワイヤＷ２の離間距離は、第１の実施形態よりも拡大されており、第３の巻回領域Ａ３のｘ方向における略中央部に位置している。
【００４５】
本実施形態による巻回レイアウトは、第２のワイヤＷ２を第１のエッジＥ１側から第２のエッジＥ２側に巻回する場合において、特に効果的である。その理由は次の通りである。
【００４６】
まず、第２のワイヤＷ２を第１のエッジＥ１側から第２のエッジＥ２側に巻回すると、第２のワイヤＷ２には巻回作業時に符号Ｑで示す力（遷移方向への力）が常に印加される。一方、交差部分の近傍において第２のワイヤＷ２がずれようとする力Ｐは、第１のエッジＥ１側では力Ｑと同方向、第２のエッジＥ２側では力Ｑと逆方向となる。つまり、第２のエッジＥ２側では力Ｐと力Ｑが相殺されるのに対し、第１のエッジＥ１側では力Ｐと力Ｑが加算されることから、第２のワイヤＷ２のずれは第１のエッジＥ１側にて生じやすくなる。
【００４７】
しかしながら、本実施形態においては、第１のワイヤＷ１と第２のワイヤＷ２の交差位置が第２のエッジＥ２側にオフセットしているため、第１のエッジＥ１側における力Ｐが大幅に弱められ、第１のエッジＥ１側における第２のワイヤＷ２のずれが生じにくくなる。一方、第２のエッジＥ２側においては、上述の通り、力Ｐと力Ｑが相殺されるとともに、交差部分と第２のエッジＥ２との距離が短いことから、第２のエッジＥ２によって第２のワイヤＷ２の位置が保持される。このようなメカニズムにより、第２のワイヤＷ２のずれがより効果的に抑制されることになる。
【００４８】
このように、本実施形態においては、第２のワイヤＷ２の巻回方向を考慮した巻回レイアウトを採用していることから、第２のワイヤＷ２の巻回位置をよりいっそう安定化させることが可能となる。
【００４９】
＜変形例＞
図９（ａ）〜（ｃ）は第１の変形例を説明するための図であり、それぞれ図８（ａ）〜（ｃ）に示す断面に対応する。
【００５０】
図９に示す例では、第１の巻回領域Ａ１上においては第１の巻回ブロックＢ１が形成される一方、第２の巻回領域Ａ２上においては第２及び第４の巻回ブロックＢ２，Ｂ４が形成される。本例では、第４の巻回ブロックＢ４が第１の巻回ブロックＢ１と第２の巻回ブロックＢ２の間に配置されている。第４の巻回ブロックＢ４は、第１のワイヤＷ１と第２のワイヤＷ２の同一ターン間に他のターンが介在するよう巻回されたブロックである。例えば、第１のワイヤＷ１のターン３と第２のワイヤＷ２のターン３との間には、第１のワイヤＷ１のターン２及び第２のワイヤＷ２のターン４が介在する。このようなレイアウトは、図９（ａ）に示すように、第１のワイヤＷ１のターン０と第２のワイヤＷ２のターン０によって形成される谷線に第２のワイヤＷ２のターン１を配置することによって得られる。
【００５１】
本例においては、差動信号の対称性が低下するものの、第２の実施形態によるコモンモードフィルタ１０Ｂと比べて、実装基板への搭載方向による高周波特性の差を拡大することが可能となる。
【００５２】
図１０（ａ）〜（ｃ）は第２の変形例を説明するための図であり、それぞれ図８（ａ）〜（ｃ）に示す断面に対応する。
【００５３】
図１０に示す例では、第１の巻回領域Ａ１上においては第１の巻回ブロックＢ１が形成される一方、第２の巻回領域Ａ２上においては第３及び第４の巻回ブロックＢ３，Ｂ４が形成される。本例では、第４の巻回ブロックＢ４が第１の巻回ブロックＢ１と第３の巻回ブロックＢ３の間に配置されている。上述の通り、第３の巻回ブロックＢ３は、第２の巻回ブロックＢ２と同様、第１のワイヤＷ１と第２のワイヤＷ２の同一ターンが隣接するよう巻回されたブロックであり、同一ターンを構成する第１及び第２のワイヤＷ１，Ｗ２のうち第１のワイヤＷ１が交差側に位置している。また、第４の巻回ブロックＢ４は、第１のワイヤＷ１と第２のワイヤＷ２の同一ターン間に他のターンが介在するよう巻回されたブロックである。
【００５４】
図１０に示すように、第３の巻回ブロックＢ３を構成する第２のワイヤＷ２と、第４の巻回ブロックＢ４を構成する第２のワイヤＷ２との間には、２ピッチ分のスペースが設けられている。このような巻回レイアウトは、巻回作業時において第４の巻回ブロックＢ４から第３の巻回ブロックＢ３に遷移する際、第２のワイヤＷ２を２ピッチ分飛ばして巻回することによって実現できる。
【００５５】
本例においても、２種類の高周波特性を有するコモンモードフィルタを提供することが可能となる。しかも、第２の巻回領域Ａ２において、第２のワイヤＷ２が２ピッチ分飛ばして巻回されていることから、実装基板２への搭載方向による高周波特性の差を拡大することが可能となる。
【００５６】
以上、本発明の好ましい実施形態について説明したが、本発明は、上記の実施形態に限定されることなく、本発明の主旨を逸脱しない範囲で種々の変更が可能であり、それらも本発明の範囲内に包含されるものであることはいうまでもない。
【符号の説明】
【００５７】
２    実装基板
１０Ａ，１０Ｂ    コモンモードフィルタ
２０    ドラム型コア
２１    第１の鍔部
２２    第２の鍔部
２１ｂ，２２ｂ    実装面
２１ｓ，２２ｓ    外側面
２１ｔ，２２ｔ    上面
２３    巻芯部
３０    板状コア
４１〜４４    端子電極
５０    接触部分
５１，５２    離間部分
Ａ１    第１の巻回領域
Ａ２    第２の巻回領域
Ａ３    第３の巻回領域
Ｂ１    第１の巻回ブロック
Ｂ２    第２の巻回ブロック
Ｂ３    第３の巻回ブロック
Ｂ４    第４の巻回ブロック
Ｅ１    第１のエッジ
Ｅ２    第２のエッジ
Ｐ，Ｑ    力
Ｒ    表面領域
Ｓ１    第１の区間
Ｓ２    第２の区間
Ｗ１    第１のワイヤ
Ｗ２    第２のワイヤ
【図１】
2018120887.tif 000003
【図２】
2018120887.tif 000004
【図３】
2018120887.tif 000005
【図４】
2018120887.tif 000006
【図５】
2018120887.tif 000007
【図６】
2018120887.tif 000008
【図７】
2018120887.tif 000009
【図８】
2018120887.tif 000010
【図９】
2018120887.tif 000011
【図１０】
2018120887.tif 000012